(57)【要約】【課題】従来、歯の病気の予防方法は歯磨きしかないと歯科医師は喧伝しているが、完全な歯磨き方法はまだ発見されていないと考え、研究を行なった結果、「歯磨き中盲歯磨きになること」がその原因であり、その弊害は正しい歯磨きを阻害し続けて歯の病気を引き起こす原因となっていた。そしてこれらの現象「盲歯磨きは悪の塊の理論を発見した」のである。そしてこれを除去しないと歯の病気が増え続けるのであり、その原因を除去する器具を得ることが課題となった。【解決手段】盲歯磨きの原因を断ち切るため、口中の歯を「目器官の補助目」による目で見ながら歯磨きできるようにした。その原理は口中を照明具で照らし歯を鏡に写し出してその像を目器官で見えるようにした。その結果、「盲歯磨きの防止」と「悪の塊も自然消滅」させることができた。このようにして歯磨きの弊害がなくなり、「新しい歯磨き方法の開発」ができて目的とする歯の病気の撲滅に近づくことができる、目で見ながら歯磨きできる歯磨き用鏡の提供ができるようになった。【選択図】          図１
2004242688.tif 000002
【特許請求の範囲】
【請求項１】
従来の歯磨き方法を阻害し続けてきた「盲歯磨きは悪の塊の理論を発見した」ことにより、これに基づき「鏡の外周に複数個の照明具を取付け」顔面を照射し、口中のはを鏡に写し出し、「目器官」で見られるようにした「目器官の補助目」で見ながら歯磨きできる歯磨き用鏡の「発明」が完成した。
【請求項２】
口中を写すための鏡本体に、所定の間隔で複数の照明具を固定的にあるいは首振り可能に取り付け、使用者が必要に応じてこの照明具の照明位置や向きを変えられるようにして、照明具が異なる方向から歯の全面を照明可能としたことにより、口中全体の歯磨き中の歯を個々に目で見ながら、さらに１本づつ磨き終わったことを確認しながら、毎回の歯磨きが行えるようにしたことを特徴とする目で見ながら歯磨きできる歯磨き用鏡。
【請求項３】
鏡本体が、鏡本体に首振り可能に取り付けた補助鏡を備え、鏡本体に映らない口中部分を補助鏡を介して鏡本体に写すようにしてなる請求項１に記載の目で見ながら歯磨きできる歯磨き用鏡。
【請求項４】
照明具が点状に発光する照明具からなり、この照明具を鏡本体の外枠部分に少なくとも等間隔で４個固定してなる請求項１または２に記載の目で見ながら歯磨きできる歯磨き用鏡。
【請求項５】
照明具が棒状に発光する照明具からなり、この照明具を鏡本体の外枠部分に少なくとも対向して一対固定してなる請求項１または２に記載の目で見ながら歯磨きできる歯磨き用鏡。
【請求項６】
照明具が、点状に発光する照明具と棒状に発光する照明具との組み合わせからなり、これらの照明具を鏡本体の外枠部分に適宜固定してなる請求項１または２に記載の目で見ながら歯磨きできる歯磨き用鏡。
【発明の詳細な説明】
【０００１】
【発明の属する技術分野】この発明は、ほとんどの国民が悩まされている歯の病気を撲滅するために、口中全体の歯磨き中の歯を個々に目で見ながら、さらに１本づつ磨き終わったことを確認しながら、毎回の歯磨きが行えるようにした、目で見ながら歯磨きできる歯磨き用鏡に関する。
【０００２】
【従来の技術】虫歯や歯周病について家庭医学百科（厚生省推薦  保健同人社編  第７４刷  昭和４４年）には、虫歯の根本的な解決についての示唆は示されていなかったが、虫歯や歯槽膿漏すでに歯磨きにより改善されることが記載されている。この虫歯や歯槽膿漏（歯周病と改名されている）については、現在でもその予防法として歯磨きしかないようである。
【０００３】
【発明が解決しようとする課題】しかしながら従来、虫歯や歯周病の予防としては歯磨き（ブラッシング）しかないとはいえ、例えば歯科診療所等の歯科衛生士の歯磨きの指導は、歯石の除去などがその中心的な業務となっているのが実情である。
【０００４】もちろん、歯磨きのポイントが磨き残しがないように磨くことであることは誰でも気がつくことである。そのため、口中、特に歯の裏側を見えるようにするための種々の器具が開発されている。例えば、歯科医師等が使用するような、口中に入れて歯の裏側を見るための把手付きの小さい鏡が知られている。
【０００５】また、通常の鏡に種々の補助鏡や照明具を備えたものも提案されているようである。
【０００６】しかし、前者の把手付きの小さい鏡においては、歯の裏側等の磨き残しを見る作業の際には小さい鏡が口中に入ったままであり、磨き残しを見ながら歯磨きをすることが難しいという欠点があった。またサイズが小さいため、口中の磨き残しが見づらいという問題があった。
【０００７】さらに後者の、通常の鏡に種々の補助鏡や照明具を備えたものにおいては、口中の歯の裏側等をスポット的に見たり、あるいはスポット的に照明したりするものであり、したがって磨き残しを見ながら歯磨きをすることが難しいという欠点が残っており、日常の朝晩の歯磨きを磨き残しなく行なうためには使用することができない。
【０００８】以上のような歯の病気の予防具として、歯ブラシや治療具などが色々と考え出されているようであるが、歯の病気は増えており、国民の９０％に達している。
【０００９】従来の歯の予防方法は歯磨きしかないと医師は言っているが、今の歯磨き方法は完全な磨き方がまだ発見されていないと考えられたので、その磨き方の実態を毎日毎日考え続け研究してきたのである。
【００１０】その結果、従来の歯磨き方法は歯磨き時に磨く作業を見ることができないということが判ったのである。そのことが歯の病気の原因に関係しているのかも知れない。そこで再度検討を行なってみた。その結論は下記のとおりである。
【００１１】従来の歯磨き方法について図８ないし図１０に基いて説明すると、図８は歯磨きをしようとしているところである。目１が脳神経２に準備由の信号を出し、脳神経は手３に「歯ブラシ４を口５内へ入れなさい」という信号をだしたところである。そして図９は歯ブラシ４を口５内に入れて歯を磨いているところであり、磨き終わると図８の状態に戻り、何の変化も感じないのが普通の歯磨きの方法である。
【００１２】ところが、図８から図９にかわるとき、目１が手３と歯ブラシ４を見ながら口５内に歯ブラシ４を入れた瞬間に図１０のようになる。すなわち図１０に示すように、歯ブラシ４を口５内へ入れたと同時に口５内だけが見えなくなり、めくら歯磨きになってしまうのである。図中目１と口５の間の×印は口５が目１に見えなくなったところを示している。そして歯磨きが終わって歯ブラシ４を口５内から取り出した瞬間に図８の状態に戻ってしまう。このように、歯磨き時にその他の部分は全部見えているのに対し、口５内だけが見えていないという現象をうっかりして誰も気が付かないようである。このめくら歯磨きの時間は歯磨きが始まったときから磨き終わったときまでの間だけであり、このような図８から図１０までの現象は、歯磨きの際には必ず発生するものである。
【００１３】歯磨き作業の始まりは図８で目１が準備よしの信号を脳神経２に送り、脳神経２は手３に「口５内を磨け」という信号を出す。以上の目１、脳神経２および手３を３器官ということにする。歯磨き作業はこの３器官を使って効率よく進むが、歯ブラシ４を口５内に入れた瞬間に口５内だけが脳神経と手３の２器官だけの作業になってしまう。しかも、手３の働きは目１が活用できないため、手３は手加減と触覚だけの働きに頼るようになり、しかも手首は歯ブラシ４を持つので手３の触覚はかなり弱くなってしまうと思われる。その後歯ブラシ４を口５内から取り出すともとの３器官による作業に戻ってしまう。歯磨き作業においては、以上のような現象のあることが判明したのである。
【００１４】この現象についての作用とその結果について以下に列記する。
ａ）前記の歯ブラシ４を口５内に入れた瞬間に口５内の情報が目１に届かなくなり、脳神経２と手３だけの２器官のみの働きに頼るようになる。
ｂ）その際、手３の手加減と触覚の働きだけに頼るようになる。
ｃ）なお、手３の働きは歯ブラシ４を持つので、触覚が間接的にしか働かなくなり、手触りの感覚がかなり弱くなる。
ｄ）触覚だけに頼った歯磨きになるため、磨いている歯がどの歯なのかよくわからない。
ｅ）歯に磨き残しがでやすい。
ｆ）このため、歯石が多く溜まる。
ｇ）歯石が溜まると歯の病原菌が増え、歯の病気が多くなる。
ｈ）誰が磨いても完全に磨くことができない。
以上の結果、国民の９０％の人が歯の病気に苦しんでいるのであり、めくら歯磨きは悪の塊であるといえる。そして以上の原因から病気が増えるという弊害が続いていて、留まることを知らない。このようなことから、歯の病気は国民病といわれても不思議でないのが現状である。
【００１５】前記ａ）の２器官に頼った歯磨きの詳細な説明をすると、先ずは手探りで歯磨きをすることになる。次いで、歯の隙間は上下方向および横方向にあり、また歯と歯肉の間は前後方向にあり、歯並びはＵ字形で上の歯と下の歯の２通りであり、各々の歯には表と裏がある。これらの歯を磨くに際して、歯ブラシの向きを歯の方向に手加減と触覚を頼りに磨くので、完全な歯磨きは不可能であり、この現象は従来の歯磨き方法を大きく阻害し続けてきた。これで歯の病気が多い理由が納得できたのである。これらから「めくら歯磨きは悪の塊」の理論を「発見」できたのである。
【００１６】「めくら歯磨き」による上記の状態は厄介な現象であり、これらの欠点をなくすには従来の２器官に頼る歯磨きを常に３器官による歯磨きとすることである。このようにすれば「めくら歯磨き」の弊害を除去することができるし、従来の歯磨き方法の弱点も補強ができること、および歯の病気の撲滅もできるだろうという自信を持つことができた。そして、この思い付きから目で見ながら歯磨きができる鏡が生まれたのである。
【００１７】
【課題を解決するための手段】上記の「盲歯磨きは悪の塊の理論」は従来の歯磨き方法を大きく阻害し続けてきた。これを除去するため盲歯磨きになる原因「２器官」：脳神経２と手３のみを、常に「３器官」：目１と脳神経２、および手３に保てるように、「目器官の補助目」を作り、目で見ながら歯磨きできる歯磨き用鏡を発明した。この発明は、鏡本体の外周に照明具を複数個取付け、この照明具付き鏡を「目器官の補助目」とした、目で見ながら歯磨きできる歯磨き用鏡である。
【００１８】また、この発明に係る目で見ながら歯磨きできる歯磨き用鏡は、口中を写すための鏡本体に、所定の間隔で複数の照明具を固定的にあるいは首振り可能に取り付け、使用者が必要に応じてこの照明具の照明位置や向きを変えられるようにして、照明具が異なる方向から歯の全面を照明可能としたことにより、口中全体の歯磨き中の歯を個々に目で見ながら、さらに１本づつ磨き終わったことを確認しながら、毎回の歯磨きが行えるようにしたことを特徴とするものである。
【００１９】この発明に係る目で見ながら歯磨きできる歯磨き用鏡は、上記鏡本体が、鏡本体に首振り可能に取り付けた補助鏡を備え、鏡本体に映らない口中部分を補助鏡を介して鏡本体に写すようにしたことをも特徴とするものである。
【００２０】この発明に係る目で見ながら歯磨きできる歯磨き用鏡は、上記照明具が点状に発光する照明具からなり、この照明具を鏡本体の外枠部分に少なくとも等間隔で４個固定したことをも特徴とするものである。
【００２１】この発明に係る目で見ながら歯磨きできる歯磨き用鏡は、上記照明具が棒状に発光する照明具からなり、この照明具を鏡本体の外枠部分に少なくとも対向して一対固定したことをも特徴とするものである。
【００２２】この発明に係る目で見ながら歯磨きできる歯磨き用鏡は、上記照明具が、点状に発光する照明具と棒状に発光する照明具との組み合わせからなり、これらの照明具を鏡本体の外枠部分に適宜固定したことをも特徴とするものである。
【００２３】この発明によれば、照明具を点灯した瞬間に口外の違った方向から歯を照明できるようにしたので、口中全体をくまなく明るく照らして鏡に写すことができるようになった。したがって、従来の歯磨き剤を使用した場合のように歯磨き中の口中が何も見えない状態での歯磨き作業と異なり、歯磨き剤を使用しないで歯を磨くことにより、磨き中に個々の歯やブラシの動き、歯垢の落ちまで確認することができるようになった。なお専門医師によれば、歯磨き剤を使用しないで歯磨きすることは歯が自然色になって歯のためにはよいことであり、その効果は大きいといわれている。
【００２４】そこで歯磨き方法を再検討したところ、歯は生え変わった後頃が最大の強度がある。その部厚い強い歯が一生確保できれば歯の病気にならないと考えた。ちなみに、ダイヤモンドは最も固い物質であるが、その研磨は柔らかな研磨材で行なっている。歯磨きもこの方法で磨けば磨けるのであり、歯ブラシの毛先だけで磨いたら研磨材の動きと同様になった。この磨き方を１１ヶ月「歯磨き剤なし」で磨き続け、現在も続行中である。
先ず、近所の歯科医院へ赴き、歯垢を除去して歯の治療をした。その時、歯肉が腫れ出し、それを切開手術した歯科医師は歯槽膿漏と診断し、歯が動かないように歯の固定具を作り固定してくれたが、１０日程で固定具の使用を止めてしまった。その後は今回発明した「目器官の補助目」による目で見ながら歯磨きできる歯磨き用鏡を使用しながら歯磨きを行ない、６ヶ月が経過したが歯垢や歯石はほとんど付着していない。むしろ歯垢を除去した頃よりきれいな歯に見えた。
すなわち、１１ヶ月が経過した現在は、歯全部がピカピカに輝くようになっていた。なおよく確かめたら、汚れのない濡れた白い歯が宝石のように口一杯に輝いていたので自分の歯に見とれていた。こんなにきれいに磨けたのは初めてである。そして、歯槽膿漏のような歯肉の変色等が全くなく、歯の緩みも全くない健康な歯であった。
【００２５】上記をまとめると下記の通り。
ａ）歯磨きによる磨耗が小さいので部厚い強い歯が長く保持できて病気に強く、口中の菌を寄せ付けない歯が確保できる歯磨き用鏡が得られる。
ｂ）歯磨きが微細になり、美しく白い歯、滑らかな歯に磨ける歯磨き用鏡が得られる。
ｃ）歯槽膿漏の進行を押える効果が期待できる歯磨き用鏡が得られる。
ｄ）上記の歯磨き方法を毎回行なった後に、「歯磨き剤」を使用すれば、「目器官の補助目」による歯磨きの殺菌効果と、「歯磨き剤」の殺菌効果が二重に作用し、歯の病気を大きく減らせると思われる。
上記の歯磨き方法は今までに見られない新しい歯磨き方法が今後期待できる「目器官の補助目」による目で見ながら歯磨きできる歯磨き用鏡により、新しい歯磨き方法の「発明」が完成した。
【００２６】したがって今後の歯磨きは、歯磨き中に１本１本の個々の歯を歯ブラシで磨き終えているかどうかを目で確認しながら随時歯磨きすることを可能とすることができ、また自分の歯磨きを自分の目で見ながら新たな歯磨き方法を創出することができる糸口にもなるのである。すなわちこの発明によれば、歯の全面を照らしながら歯磨きすることによって、歯石や歯垢等を完全に除去することができ、それゆえ歯の病原菌の溜まり場がなくなって、歯の病気が大幅に低減できることが期待できる歯磨き用鏡を提供することができるようになった。
【００２７】
【発明の実施の形態】以下、この発明に係る目で見ながら歯磨きできる歯磨き用鏡の実施の形態について、図面に基いて詳細に説明する。
図１はこの発明の目で見ながら歯磨きできる歯磨き用鏡の１実施例を示す正面図、図２はその断面図、図３は使用状態の正面図、図４はこの発明の目で見ながら歯磨きできる歯磨き用鏡の他の実施例を示す正面図、図５はその使用状態を示す正面図、図６はその使用状態を示す側面図、図７は制御機構を示す概略図である。
【００２８】図１ないし図３において、鏡本体１１の裏側に設けた板状の枠体１２は、その下部を台座１４に立てられた、例えば２重パイプで伸縮自在とした支柱１５の上部に、蝶番１３を介して首振り可能に取り付けられている。図において１６は支柱１５上部に取り付けた補助鏡である。
【００２９】一方、鏡本体１１の裏側の枠体１２のほぼ中心には回転軸１７が取り付けられ、回転軸１７にはアーム１８が枠体１２の板面に沿って回転自在に取り付けられている。またアーム１８は、鏡本体１１の両側に突き出るように枠体１２の裏側に配置されており、その両端にはそれぞれ照明具１９が取り付けられている。上記照明具１９は蝶番２０を介してアーム１８に連結されており、鏡本体１１を前にした使用者の口中の適宜位置を照明することができるようになっている。なお、照明具１９の回転角度を１８０度とすれば、使用しないときには鏡本体１１上に折り畳んでおくことができる。
【００３０】上記支柱１５上の蝶番１３およびアーム１８の両端の蝶番２０は、それぞれコイルバネ２１，２２等のバネ圧力で締付け圧力を変えることができ、それら蝶番１３，２０に取り付けた鏡本体１１や照明具１９の取付角度を適宜調整し、かつ静止状態に保つことができる。
【００３１】使用に際しては、図３に示すように鏡本体１１に向かった使用者が、支柱１５の長さを変えたり、鏡本体１１の角度を調整しながら口中が確実に見える位置に固定し、その上で照明具１９の角度を変えながら口中の適宜位置を照明することができるよう調整する。その際、アーム１８を回転軸１７を中心に回しながら、照明具１９の高さ等を変えることもできる。
【００３２】上記補助鏡１６は、支柱１５の上部において鏡本体１１側で蝶番１３を利用して回転することができるようにしておけば、鏡本体１１では写しきれない口中の歯の裏側等を写すことができる。もちろん、この補助鏡１６の角度も蝶番１３に設けたコイルバネ２１のバネ圧力で、適宜角度に保持することができる。なお、図中２３は鏡本体１１上部に設けた吊り具で、台座１４不使用の場合にその代わりに使用するものである。
【００３３】図４ないし図６の実施例においては、鏡本体３１の裏側に４本のアーム３２が回転自在に取り付けてあり、その先端には首振り可能に照明具３３が取り付けられている。
【００３４】したがって、この実施例の目で見ながら歯磨きできる歯磨き用鏡の利用に際しては、図５および図６に示すように、４つの照明具３３を適宜角度に変えながら、口中を鏡本体３１に写し、口中を隈なく映し出すことができる。また補助鏡３４を利用して歯の裏側まで写すことができるので、歯磨きを歯の裏側に付着した汚れまで正確に行なうことができる。
【００３５】図７はこの発明の目で見ながら歯磨きできる歯磨き用鏡における制御機構を示す概略図である。すなわち、鏡本体１１，３１の裏側に収納した電源３５から各照明具１９，３３には、スイッチ３６を介してこの電源３５に接続するための配線が伸びている。
【００３６】この発明の目で見ながら歯磨きできる歯磨き用鏡においては、上記点状に発光する各照明具に代えて、棒状に発光する照明具を用いることもできる。その場合には４個の点状に発光する照明具に代えて鏡本体の両側に一対の照明具とすることができる。もちろん、このような棒状に発光する照明具と点状に発光する照明具とを組み合わせて使用すれば、より効果的な照明を行なうことができる。
【００３７】
【発明の効果】従来の歯磨き方法の欠点は「歯磨き中盲歯磨きになること」であり、これによる「弊害が正しい歯磨きを阻害し続けていたこと」であって、これらの要因が重なって歯の病気を増やす原因となっていた。そしてこれらの現象「盲歯磨きは悪の塊」であることを発見した。
【００３８】この発見に基づき「目器官の補助目」による目で見ながら歯磨きできる歯磨き用鏡を「発明」した。この発明は上記の欠点である盲歯磨きを防止することができるとともに、「悪の塊も自然消滅」させることができた。このようにして歯の病気の原因を大きく切り崩すことができたので「歯の病気を無くせる」という望みを持つことができた。
【００３９】上記の発明「目器官の補助目」の使用方法は、「歯磨き剤は使わず、歯ブラシだけで磨く」ことになる。
「歯ブラシの毛には研磨効果がある」ことを見いだしたのであり、その効果は次の通りである。
ａ）上記の歯磨きを自分の歯で実験した。すなわち、「歯磨き剤無使用」で１１ヶ月間毎日１回磨いたところ、歯垢も歯石も付着しなかった。そして歯は白さを保ち、微細な磨きにより濡れた歯はピカピカに輝き、口一杯の輝く歯の集合はどんな宝石よりも美しく見え、実にすばらしい歯磨き方法ができたのである。
ｂ）毎回の歯磨きは「歯磨き剤」を使用しない歯磨きが終わった後に「歯磨き剤」を使用すれば、殺菌効果が二重に作用し、非常に効果が大きい、新しい歯磨き方法の「発明」が得られた。
【図面の簡単な説明】
【図１】この発明の目で見ながら歯磨きできる歯磨き用鏡の１実施例を示す正面図である。
【図２】その断面図である。
【図３】その使用状態を示す正面図である。
【図４】この発明の目で見ながら歯磨きできる歯磨き用鏡の他の実施例を示す正面図である。
【図５】その使用状態を示す正面図である。
【図６】その使用状態を示す側面図である。
【図７】制御機構を示す概略図である。
【図８】従来の歯磨き方法について説明するためのものであり、歯磨きをしようとしているところを示す概略図である。
【図９】口内に歯ブラシを入れる前の状態を示す概略図である。
【図１０】口内に歯ブラシを入れた状態の概略図である。
【符号の説明】
１１  鏡本体
１２  枠体
１３  蝶番
１４  台座
１５  支柱
１６  補助鏡
１７  回転軸
１８  アーム
１９  照明具
２０  蝶番
２１，２２  コイルバネ
２３  吊り具
３１  鏡本体
３２  アーム
３３  照明具
３４  補助鏡
３５  電源
３６  スイッチ
【図１】
2004242688.tif 000003
【図２】
2004242688.tif 000004
【図３】
2004242688.tif 000005
【図４】
2004242688.tif 000006
【図５】
2004242688.tif 000007
【図６】
2004242688.tif 000008
【図７】
2004242688.tif 000009
【図８】
2004242688.tif 000010
【図９】
2004242688.tif 000011
【図１０】
2004242688.tif 000012